(57)【特許請求の範囲】
【請求項１】
アスベスト材の切断工事や除去工事を含むアスベスト材工事に用いる作業ボックスであって、該アスベスト材工事用作業ボックスは、
アスベスト材を覆うように構成されると共に一部に開口を有する筒状部と、
前記筒状部の両側部を覆い所定の径の孔部を有する側面部と、
アスベスト材の形状に応じて前記側面部の孔部に配置される密閉用アタッチメント部と、
前記筒状部の開口に設けられ、それぞれが一部重なるように配置され作業時に撓んで隙間ができ筒状部内にアクセス可能なように構成される複数のストリップを有する作業用アクセス部と、
を具備することを特徴とするアスベスト材工事用作業ボックス。
【請求項２】
請求項１に記載のアスベスト材工事用作業ボックスにおいて、前記筒状部は、アスベスト材を挟み込み覆うように開閉可能に構成されることを特徴とするアスベスト材工事用作業ボックス。
【請求項３】
請求項１又は請求項２に記載のアスベスト材工事用作業ボックスにおいて、前記作業用アクセス部のストリップは、可撓性シート又は弾性シートからなることを特徴とするアスベスト材工事用作業ボックス。
【請求項４】
請求項１乃至請求項３の何れかに記載のアスベスト材工事用作業ボックスにおいて、前記作業用アクセス部のストリップは、互い違いに配置される、又は一方の隣接するストリップの下面と一部重なると共に他方の隣接するストリップの上面と一部重なるように配置されることを特徴とするアスベスト材工事用作業ボックス。
【請求項５】
請求項１乃至請求項４の何れかに記載のアスベスト材工事用作業ボックスにおいて、前記密閉用アタッチメント部は、そのアスベスト材に接する端辺に、アスベスト材に密着する密閉用弾性体を具備することを特徴とするアスベスト材工事用作業ボックス。
【請求項６】
請求項１乃至請求項５の何れかに記載のアスベスト材工事用作業ボックスにおいて、前記筒状部は、さらに、筒状部内を負圧にするために吸気するための吸気用孔を具備することを特徴とするアスベスト材工事用作業ボックス。
【請求項７】
請求項１乃至請求項６の何れかに記載のアスベスト材工事用作業ボックスにおいて、前記筒状部は、さらに、筒状部内にアスベスト飛散防止剤を噴霧するための噴霧用孔を具備することを特徴とするアスベスト材工事用作業ボックス。
【発明の詳細な説明】
【技術分野】
【０００１】
本発明はアスベスト材工事用作業ボックスに関し、特に、アスベスト管を切断する際やアスベスト被覆板を除去する際にアスベストが飛散しないように作業を行うためのアスベスト材工事用作業ボックスに関する。
【背景技術】
【０００２】
従来、断熱材や絶縁材としてアスベストが一般的に使用されていたが、現在はその使用に厳しい制限が設けられてる。そして、既にアスベストが使用されているビルの解体工事において、アスベストに覆われた耐火被覆板、所謂アスベスト被覆板や、アスベストに覆われた水道管、所謂アスベスト管等の撤去作業の際に、アスベストが飛散しないようにする技術が種々開発されている。
【０００３】
ここで、アスベスト管の撤去作業においては、例えば所謂グローブバッグ工法が用いられている。これは、腕を入れるグローブと一体型の袋であるグローブバッグを、アスベスト管を切断する部分を覆うように設け、密閉した上でグローブバック内で切断作業や剥離作業を行うものである。
【０００４】
また、アスベスト管を切断するためのアスベスト管重機アタッチメントとして、特許文献１の技術がある。これは、アスベスト管を切断するためのカッターチェーンが内部に設けられるケーシングに、アスベスト管を貫通した状態で配置し、ケーシングを閉じた状態でカッターチェーンで切断するものである。
【先行技術文献】
【特許文献】
【０００５】
【特許文献１】特開２００８−１４４３９０号公報
【発明の概要】
【発明が解決しようとする課題】
【０００６】
しかしながら、グローブバック工法は、グローブにより作業が制限されるため、袋内で届かない所もあった。また、アスベスト飛散防止剤を噴霧したりカッターによりアスベスト管を切断するために、あらかじめ袋の中にこれらに必要な機材等を入れておかなければならず、使い勝手が悪いものであった。
【０００７】
また、特許文献１の技術は、カッターで切断する際にはケーシング内で密閉された状態で作業が行えるが、その前後の作業は密閉された状態では行えず、ケーシング内で作業をできるようなものではなかった。このため、未だアスベストが飛散するリスクはあった。
【０００８】
本発明は、斯かる実情に鑑み、ある程度密閉された状態でアスベストが飛散するのを防止しながら、ボックス内で自由に作業が行えるアスベスト材工事用作業ボックスを提供しようとするものである。
【課題を解決するための手段】
【０００９】
上述した本発明の目的を達成するために、本発明によるアスベスト材工事用作業ボックスは、アスベスト材を覆うように構成されると共に一部に開口を有する筒状部と、筒状部の両側部を覆い所定の径の孔部を有する側面部と、アスベスト材の形状に応じて側面部の孔部に配置される密閉用アタッチメント部と、筒状部の開口に設けられ、それぞれが一部重なるように配置される複数のストリップを有する作業用アクセス部と、を具備するものである。
【００１０】
ここで、筒状部は、アスベスト材を挟み込み覆うように開閉可能に構成されても良い。
【００１１】
また、作業用アクセス部のストリップは、可撓性シート又は弾性シートからなるものであれば良い。
【００１２】
また、作業用アクセス部のストリップは、互い違いに配置される、又は一方の隣接するストリップの下面と一部重なると共に他方の隣接するストリップの上面と一部重なるように配置されれば良い。
【００１３】
また、密閉用アタッチメント部は、そのアスベスト材に接する端辺に、アスベスト材に密着する密閉用弾性体を具備するものであっても良い。
【００１４】
また、筒状部は、さらに、筒状部内を負圧にするために吸気するための吸気用孔を具備するものであっても良い。
【００１５】
また、筒状部は、さらに、筒状部内にアスベスト飛散防止剤を噴霧するための噴霧用孔を具備するものであっても良い。
【発明の効果】
【００１６】
本発明のアスベスト材工事用作業ボックスには、ある程度密閉された状態でアスベストが飛散するのを防止しながら、ボックス内で自由に作業が行えるという利点がある。
【図面の簡単な説明】
【００１７】
【図１】図１は、本発明のアスベスト材工事用作業ボックスをアスベスト管に設置したところを説明するための概略図である。
【図２】図２は、本発明のアスベスト材工事用作業ボックスの構造を説明するための概略斜視図である。
【図３】図３は、本発明のアスベスト材工事用作業ボックスの作業用アクセス部のストリップを説明するための側断面図である。
【発明を実施するための形態】
【００１８】
以下、本発明を実施するための形態を図示例と共に説明する。図１は、本発明のアスベスト材工事用作業ボックスをアスベスト管に設置したところを説明するための概略図である。本発明のアスベスト材工事用作業ボックスは、アスベスト管の切断工事やアスベスト被覆板の除去工事に用いるものである。図示例はアスベスト管の切断作業を行う場合の作業ボックスを示したが、図示例には限定されず、アスベスト被覆板の除去工事の場合であっても良い。図示の通り、アスベスト管１を切断する位置を中心に、本発明のアスベスト材工事用作業ボックス１０を貫通するようにアスベスト管１に設置される。アスベスト材工事用作業ボックス１０は、筒状部２０と、側面部３０と、密閉用アタッチメント部４０と、作業用アクセス部５０とから主に構成されている。
【００１９】
図２は、本発明のアスベスト材工事用作業ボックスの構造を説明するための概略斜視図である。図中、図１と同一の符号を付した部分は同一物を表している。筒状部２０は、アスベスト管１を覆うように構成されるものである。具体的には、筒状部２０は、例えばアスベスト管１を挟み込み覆うように開閉可能に構成されるものである。これは、筒を長手方向に上下２つに割ったような構造を有しており、一方に蝶番２１が設けられ、開閉するように構成されている。そして、筒状部２０の一部に、後述の作業用アクセス部５０が設けられる開口２３を有している。開口２３は、作業可能な範囲をカバーする程度の大きさで設けられれば良く、筒状部２０の上側の一部だけでなく、例えば上側全体が開口２３であっても良い。また、筒状部２０は、図示例では円筒形のものを示したが、本発明はこれに限定されず、角筒形のもの等、アスベスト管を覆える形状であれば如何なるものであっても良い。また、例えば、床と壁の角部に除去すべきアスベスト被覆板が配置される場合には、アスベスト被覆板を覆えるＬ字形状に筒状部を構成し、アスベスト被覆板全体を覆うように構成しても良い。筒状部２０の材質としては、特に限定されるものではないが、プラスチックやアクリル等であり、透明で内部が見えるものであれば良い。
【００２０】
また、筒状部２０には、吸気用孔２４を設けても良い。吸気用孔２４は、筒状部２０内を負圧にするために吸気するための孔である。吸気用孔２４に真空掃除機（図示せず）等を接続し、吸気することで筒状部２０内を負圧にする共に、廃棄物を吸入することも可能である。吸気用孔２４は、筒状部２０の下部、即ち、アスベスト管１に設置時に一番下側に位置するところに配置されれば良い。これにより、下に溜まったアスベストを含む廃棄物等を効率良く吸入させることが可能となる。また、筒状部２０の吸気用孔２４を配置する部分を、漏斗状に構成することで、より効率良く廃棄物等を吸気用孔２４に集めることができるように構成しても良い。
【００２１】
さらに、筒状部２０には、噴霧用孔２５を設けても良い。噴霧用孔２５は、筒状部２０内にアスベスト飛散防止剤を噴霧するための孔である。噴霧用孔２５にミスト噴霧装置（図示せず）等を接続し、筒状部２０内にアスベスト飛散防止剤を噴霧することで、アスベスト管１に付着しているアスベストを凝固させる。なお、アスベスト飛散防止剤については、特に特定の物には限定されず、現存する又は今後開発されるべきあらゆるものが適用可能である。噴霧用孔２５は、筒状部２０の上部、即ち、アスベスト管１に設置時に一番上側に位置するところに配置されれば良い。これにより、筒状部２０内に効率良くアスベスト飛散防止剤を噴霧可能となる。
【００２２】
側面部３０は、筒状部２０の両側部を覆うものである。また、側面部３０は、所定の径の孔部３１を有している。筒状部２０の両側部は、例えばアスベスト管１を貫通させる必要があるが、アスベスト管１は種々の径を有している。そこで、本発明のアスベスト材工事用作業ボックス１０の側面部３０に設けられた所定の径の孔部３１は、アスベスト管１よりも径の大きいものとしている。そして、後述の密閉用アタッチメント部４０を用いてアスベスト管１の径に応じてボックス内を密閉できるように構成している。側面部３０の材質も、特に限定されるものではないが、硬質なものであれば良く、金属やプラスチック、アクリル等であれば良い。また、側面部３０の開口側には、ロック機構３２が設けられ、筒状部２０を閉じたときにロックできるように構成されている。
【００２３】
密閉用アタッチメント部４０は、アスベスト管１の形状に応じて側面部３０の孔部３１に配置されるものである。密閉用アタッチメント部４０は、側面部３０の孔部３１とアスベスト管１との隙間を埋めるための付属部品である。密閉用アタッチメント部４０は、アスベスト管１の径や形状に合わせて、アスベスト管１への密着端の形状が決定されるものである。アスベスト被覆材が工事対象の場合には、アスベスト被覆材の形状に合わせて密閉用アタッチメント部の形状が決定されれば良い。また、密閉用アタッチメント部４０には、そのアスベスト管１に接する端辺に、アスベスト管に密着する密閉用弾性体４１を設けても良い。密閉用弾性体４１は、例えばシリコーンゴムやブチルゴム等、一般的なパッキンで用いられる材質のものが用いられれば良い。
【００２４】
作業用アクセス部５０は、筒状部２０の開口２３に設けられるものである。作業用アクセス部５０は、複数のストリップ５１からなるものである。複数のストリップ５１は、それぞれが一部重なるように配置される。ストリップ５１は、例えば可撓性シート又は弾性シートからなれば良い。即ち、硬質なストリップだと、作業者の腕等が入る隙間ができないので、ある程度柔軟性のある材質からなるものであれば良い。なお、作業者の腕等が入る隙間ができれば良いため、ストリップ５１が撓まないものであっても、ストリップ５１の端部を開口２３に固定する部分に弾性体を設けることで、端部から撓むように構成することで作業用アクセス部５０を設けても良い。作業用アクセス部５０に作業者が手を挿入すると、ストリップ５１が撓み、ストリップ５１間に隙間ができ、作業者の腕を筒状部２０内に入れることが可能となる。
【００２５】
図３は、本発明のアスベスト材工事用作業ボックスの作業用アクセス部のストリップを説明するための側断面図であり、図３（ａ）が第１例を、図３（ｂ）が第２例を示す。図中、図１や図２と同一の符号を付した部分は同一物を表している。図示の通り、作業用アクセス部５０の複数のストリップ５１は、例えば図３（ａ）に示されるように、互い違いに配置されれば良い。即ち、隣接する両側のストリップ５１の下面と一部重なるように配置されれば良い。
【００２６】
また、図３（ｂ）に示されるように、作業用アクセス部５０のストリップ５１は、一方の隣接するストリップ５１の下面と一部重なると共に他方の隣接するストリップ５１の上面と一部重なるように配置されても良い。即ち、隣接するストリップ５１の上に順番に一部が重なるように載せていくように配置されれば良い。
【００２７】
このようなストリップ５１が、筒状部２０の開口２３に、筒状部２０の長手方向に沿ってそれぞれ平行に且つ筒状部２０の曲面に沿って配置される。なお、ストリップ５１の重なり幅については、作業者の腕の入れ易さや吸気による負圧の量に応じて設定されれば良い。
【００２８】
このように構成された本発明のアスベスト材工事用作業ボックスは、例えば以下のようなアスベスト管の切断工事に用いられる。まず、現場でアスベスト管１の切断箇所が決定される。そして、本発明のアスベスト材工事用作業ボックス１０の筒状部２０を開き、アスベスト管１に合った密閉用アタッチメント部４０を側面部３０の孔部３１に嵌合する。その後、アスベスト管１を挟み込み覆うように筒状部２０を固定し切断箇所を密閉する。そして、吸気用孔２４から真空掃除機等を用いて吸気することで筒状部２０内を負圧にする。また、噴霧用孔２５からアスベスト飛散防止剤を噴霧する。この状態で、作業者が作業用アクセス部５０から手を内部に入れて、例えばカッター等によりアスベスト管１の被覆板金を剥離する。そして、アスベスト層を剥離し、必要によりさらに重点的にアスベスト飛散防止剤を手作業で特定箇所にピンポイントで塗布し、アスベストを完全に封じ込める。本発明のアスベスト材工事用作業ボックスは、作業者が任意の場所に任意の機材を使って作業可能となるため、このような塗布作業も密閉された状態で安全に行うことが可能である。
【００２９】
そして、この段階で既にアスベストが飛散する恐れはないため、アスベスト材工事用作業ボックスを除去しても良い。本発明のアスベスト材工事用作業ボックスは、作業用アクセス部により所望の工具を任意の所で使用することが可能なため、アスベスト材工事用作業ボックスを設置したまま、露出したパイプをカッター等で切断することも可能である。作業後、ロック機構３２を外し、筒状部２０を開いてアスベスト管１からアスベスト材工事用作業ボックス１０を取り外せば良い。
【００３０】
このように、本発明のアスベスト材工事用作業ボックスは、ある程度密閉された状態でアスベストが飛散するのを防止しながら、ボックス内で自由に作業を行うことが可能である。
【００３１】
なお、本発明のアスベスト材工事用作業ボックスは、上述の図示例にのみ限定されるものではなく、本発明の要旨を逸脱しない範囲内において種々変更を加え得ることは勿論である。
【符号の説明】
【００３２】
１    アスベスト管
１０    アスベスト材工事用作業ボックス
２０    筒状部
２１    蝶番
２３    開口
２４    吸気用孔
２５    噴霧用孔
３０    側面部
３１    孔部
３２    ロック機構
４０    密閉用アタッチメント部
４１    密閉用弾性体
５０    作業用アクセス部
５１    ストリップ
【図１】
0006641089.tif 000002
【図２】
0006641089.tif 000003
【図３】
0006641089.tif 000004